(57)【要約】【課題】  雨天の日の歩行者の安全を確保するため、傘を開くと石づきの所に付けたＬＥＤが点灯する傘を提供する。【解決の手段】  本来の石づきを取り外し、傘軸の先端にＬＥＤの取付け台を設け、そこにＬＥＤを取付け、バネの力で傘が開いた時にＬＥＤが点灯、傘が閉じた時にＬＥＤが消灯する傘。【選択図】  図６
2006198359.tif 000002
【特許請求の範囲】
【請求項１】
ジャンプ傘が開いた時のバネ圧により、傘軸内部の電線と連結されている間隔調整パイプが押し上げられることにより、スイッチＯＮ  傘が閉じると、収縮していた衝撃吸収バネが戻ることにより、傘軸内部の電線と連結されている、間隔調整パイプが下がることにより、スイッチＯＦＦになる傘である。
【発明の詳細な説明】
【技術の分野】
【０００１】  本発明は、傘を開くとＬＥＤが点灯、閉めるとＬＥＤが消灯する、スイッチの入り、切り、することなく使用できる傘である。
【背景技術】
【０００２】  従来スイッチ付きの傘はあったが、スイッチの入、り忘れや切り、忘れ多かった。
【発明の開示】
【発明が解決しようとする課題】
【０００３】  そのため次のような問題があった。
（イ）無駄に電池を消耗してしまう。
（ロ）スイッチの入り、切り、が面倒である。
本発明は、以上の問題を解決するためになされたものである。
【課題を解決するための手段】
【０００４】  ジャンプ傘が開いた時のバネ圧により、傘軸内部の電線と連結されている間隔調整パイプが押し上げられることにより、スイッチＯＮ  傘が閉じると、収縮していた衝撃吸収バネが戻ることにより、傘軸内部の電線と連結されている、間隔調整パイプが下がることにより、スイッチＯＦＦになる傘である。
【発明の効果】
【０００５】  傘を開くとＬＥＤが点灯、閉めるとＬＥＤが消灯する、スイッチの入り、切り、することなく使用できる傘である。
【発明を実地するための最良の形態】
【０００６】  以下、本発明の実施に形態について説明する。
本説明では石づき側を上部、握柄側を下部とする。
（イ）  傘軸（１）の上部にある間隔調整パイプ（２）を縦に切り、二つに切り分けて取り外し、片方をＡもう片方をＢとする、外した部分の傘軸（１）に電線（９）が引き出せる横幅で、縦方向は衝撃吸収バネ（３）の収縮幅に鋼でできたコの字形の連結金具（１１）の太さ分を加えた以上で間隔調整パイプ（２）の動きの中で納まる長さの穴を開ける。
（ロ）  握柄（８）に電池の入るスペースを作り、本来付いている石づきを取り外し、電池スペースから傘軸（１）の先端まで貫通させて握柄（８）の電池スペースから傘軸（１）の中を電線（９）と電線（１０）を通し、電線（９）は傘軸（１）上部の間隔調整パイプの内側に開けられた穴から出し、電線（１０）は石づきを外した傘軸（１）の先端から出す。
（ハ）  絶縁体ででき、上部の円形部分は傘軸（１）の直径と同じで、ＬＥＤ取付け用の穴が２ヶ所あり、長方形の部分は傘軸（１）の内径と同じ幅で、程よい大きさのＬＥＤ取付け台（１３）のＬＥＤ取付け用の穴にＬＥＤ（１４）のアノード（１７）とカソード（１８）を通し程よい大きさのアルミパイプ（１９）を通し圧着して抜けないように固定する。
（ニ）  絶縁体ででき、傘軸（１）に開けられた穴の上部から傘軸（１）の先端までの長さで電線（９）が挿入できる穴の開いた案内管（１５）をＬＥＤ（１４）のアノード（１７）に通しＬＥＤ取付け台（１３）に接着して固定する。
（ホ）  傘軸（１）の先端から出でいるの電線（１０）をＬＥＤ（１４）のカソード（１８）に配線してＬＥＤ取付け台（１３）に接着した案内管（１５）が傘軸（１）の穴の方に向くようにして傘軸（１）の先端から挿入する、または、ＬＥＤ（１４）のカソードが、傘軸（１）の内部で接触するようにして傘軸（１）の下部から電池（２１）のマイナス極に配線すれば傘軸（１）の中は電線（９）だけですむ。
（ヘ）  傘軸（１）の穴から出ている電線（９）の先端の絶縁被服を取りＬＥＤ（１４）のアノード（１７）に接触しやすいように半田などで肉盛りをして先端部分を斜めにカットする、ＬＥＤ（１４）のアノード（１７）と、電線（９）の接触部が案内管（１５）の内部で接触して程よいワイプのある所を、スイッチＯＮ  離れた所を、スイッチＯＦＦ  とした時ＯＮ  ＯＦＦ  の最良の位置を測り、連結金具（１１）のコの字形をしている二つの先端が下部を向くようにして片方の直線部分に電線（９）を極細の針金（２０）を巻き固定する。
（ト）  電線（９）の先端を傘軸（１）の穴から案内管（１５）挿入し連結金具（１１）が電線（９）に連結されている部分は傘軸（１）の内部に入り、間隔調整パイプ（２）に連結する部分は傘軸（１）の穴から出す。
（チ）  間隔調整パイプ（２）のＡ側に、電線（９）が間隔調整パイプ（２）に連動して動いた時に  ＯＮ  ＯＦＦ  の最良の位置に、連結金具（１１）が傘軸（１）の穴から出ている部分に固定できる溝を作り、連結金具（１１）を溝に合わせて、間隔調整パイプ（２）のＡ側とＢ側の切断面を合わせてテープを巻き固定する。
（リ）  握柄（８）の電池スペースに、アノード（１７）側にプラス極、カソード（１８）側にマイナス極を配線して電池（２１）を入れ防水処置した蓋（２２）をする。
（ヌ）  傘軸（１）の先端のＬＥＤ（１４）が入りＬＥＤ取付け台（１３）が浮き上がるのを押さえる働きのあるＬＥＤ取付け台（１３）上部が傘軸（１）の内径ほどで最良の大きさの透明な石づき（１２）を被せる。
（ル）  傘開き用押しボタン（１６）を押すとジャンプ傘の主バネ（７）の力により傘が開く、ジャンプ傘の特性により傘が開いても主バネの力でロクロ（５）間隔調整パイプ（２）衝撃吸収バネ（３）を押す、ロクロ（４）は傘軸（１）に固定されているので衝撃吸収バネ（３）は収縮する、そのため間隔調整パイプ（２）は押し上げられ間隔調整パイプ（２）に連結金具（１１）により電線（９）は連結されているため、電線（９）は押し上げられＬＥＤ（１４）のアノード（１７）に接触するのでスイッチはＯＮになる。
（ヲ）  傘を閉じると主バネ（７）は下がるので衝撃吸収バネ（３）の収縮が戻るため間隔調整パイプ（２）は押し下げられ連結されている電線（９）も下がりＬＥＤ（１４）のアノード（１７）から電線（９）は離れるのでスイッチはＯＦＦになる。
【図面の簡単な説明】
【０００７】
【図１】本発明における握柄の断面図
【図２】本発明におけるＬＥＤ  ＬＥＤ取付け台  案内管が一体となった斜視図
【図３】本発明におけるスイッチ部分の拡大した断面図
【図４】本発明における傘の開き時のロクロ  バネ  間隔調整パイプの状態を示す
【図５】本発明における傘の閉じ時のロクロ  バネ  間隔調整パイプの状態を示す
【図６】本発明におけるＬＥＤがＯＮ時の拡大した断面図
【図７】本発明におけるＬＥＤがＯＦＦ時の拡大した断面図
【符号の説明】
【０００８】  １  傘軸                ８  電池スペース付き握柄    １５  案内管
２  間隔調整パイプ      ９  電線                    １６  傘開き押しボタン
３  衝撃吸収パイプ    １０  電線                    １７  アノード
４  ロクロ            １１  連結金具、              １８  カソード
５  ロクロ            １２  透明な石づき            １９  アルミパイプ
６  ロクロ            １３  ＬＥＤ取付け台          ２０  極細の針金
７  主バネ            １４  ＬＥＤ                  ２１  電池
２２  防水処置した蓋
【図１】
2006198359.tif 000003
【図２】
2006198359.tif 000004
【図３】
2006198359.tif 000005
【図４】
2006198359.tif 000006
【図５】
2006198359.tif 000007
【図６】
2006198359.tif 000008
【図７】
2006198359.tif 000009